(57)【要約】【課題】消費電力を低く抑えつつ、高品質映像と低品質映像とを切り替える際に映像が途切れることを防止することができる車載受信装置２０を提供する。【解決手段】本発明の車載受信装置２０は、高品質映像デコーダ２４および低品質映像デコーダ２５を有し、一方のデコーダからの映像データを外部の再生装置１３へ出力している間に、映像データの出力元を他方のデコーダに切り替える場合、当該他方のデコーダを起動して映像データのデコードを開始させた後、所定期間経過後に、映像データの出力元を当該一方のデコーダから当該他方のデコーダに切り替えると共に、当該一方のデコーダを停止する。【選択図】図１
2008113139.tif 000002
【特許請求の範囲】
【請求項１】
車両に搭載され、ディジタル放送を受信する車載受信装置であって、
ディジタル放送用電波に含まれる信号をデコードして高品質の映像データを出力する高品質映像デコーダと、
ディジタル放送用電波に含まれる信号をデコードして低品質の映像データを出力する低品質映像デコーダと、
ディジタル放送用電波の受信品質に応じて、前記高品質映像デコーダまたは前記低品質映像デコーダのいずれに、ディジタル放送用電波に含まれる信号をデコードする映像デコード処理を実行させるかを判定して、判定結果を出力する判定手段と、
前記高品質映像デコーダまたは前記低品質映像デコーダから出力された映像データを、映像を表示する表示装置へ出力する出力手段と、
前記判定手段からの判定結果に応じて、前記高品質映像デコーダまたは前記低品質映像デコーダに前記映像デコード処理を実行させると共に、前記高品質映像デコーダまたは前記低品質映像デコーダのいずれからの映像データを前記表示装置へ出力するかを前記出力手段に指示するデコーダ切替手段と
を備え、
前記デコーダ切替手段は、
前記高品質映像デコーダおよび前記低品質映像デコーダにおいて、一方のデコーダに前記映像デコード処理を実行させている間に、前記判定手段が、他方のデコーダに前記映像デコード処理を実行させる旨の判定結果を出力した場合に、前記他方のデコーダを起動して前記映像デコード処理を開始させ、予め定められた第１の期間経過後に、前記表示装置へ出力する映像データの出力元を前記一方のデコーダから前記他方のデコーダに切り替える旨を前記出力手段に指示すると共に、前記一方のデコーダを停止させること
を特徴とする車載受信装置。
【請求項２】
請求項１に記載の車載受信装置であって、
前記高品質映像デコーダおよび前記低品質映像デコーダは、
前記映像デコード処理においてデコードしたＰＴＳ（Presentation Time Stamp）を前記デコーダ切替手段および前記出力手段へ出力し、
前記デコーダ切替手段は、
前記高品質映像デコーダおよび前記低品質映像デコーダにおいて、一方のデコーダに前記映像デコード処理を実行させている間に、前記判定手段が、他方のデコーダに前記映像デコード処理を実行させる旨の判定結果を出力した場合に、前記一方のデコーダから出力されたＰＴＳの値から、前記第１の期間経過後のＰＴＳの値を算出し、前記第１の期間経過後に、算出したＰＴＳの値に対応する映像データから、前記他方のデコーダからの映像データを前記表示装置へ出力する旨を前記出力手段に指示し、
前記出力手段は、
前記デコーダ切替手段から指示されたＰＴＳの値に対応する映像データから、前記表示装置へ出力する映像データの出力元を切り替えることを特徴とする車載受信装置。
【請求項３】
請求項１または２に記載の車載受信装置であって、
前記判定手段は、
ディジタル放送用電波の受信品質が、予め定められた第１の閾値以上である場合に、前記高品質映像デコーダに前記映像デコード処理を実行させる旨の判定結果を出力し、
ディジタル放送用電波の受信品質が、前記第１の閾値未満である場合に、前記低品質映像デコーダに前記映像デコード処理を実行させる旨の判定結果を出力すること特徴とする車載受信装置。
【請求項４】
請求項１または２に記載の車載受信装置であって、
前記判定手段は、
受信中のディジタル放送用電波の品質に応じて、前記第１の期間経過後のディジタル放送用電波の受信品質を予測し、予測した受信品質が、予め定められた第１の閾値以上である場合に、前記高品質映像デコーダに前記映像デコード処理を実行させる旨の判定結果を出力し、
前記予測した受信品質が、前記第１の閾値未満である場合に、前記低品質映像デコーダに前記映像デコード処理を実行させる旨の判定結果を出力すること特徴とする車載受信装置。
【請求項５】
請求項４に記載の車載受信装置であって、
前記判定手段は、
ディジタル放送用電波の受信品質の時間的な変動を示すデータである第１のデータと、当該第１のデータに対応付けられており、当該第１のデータに含まれる最後のデータから前記第１の期間経過後に予想される受信品質を示すデータである第２のデータとから構成される映像用参照データを複数格納する映像用判定テーブルを予め有しており、
受信中のディジタル放送用電波の品質の時間的な変動を測定し、前記映像用判定テーブルを参照して、測定した受信品質の時間的な変動との相関が最も高い第１のデータを有する映像用参照データを特定し、特定した映像用参照データに含まれる第２のデータを、前記第１の期間経過後のディジタル放送用電波の受信品質として予測すること
を特徴とする車載受信装置。
【請求項６】
請求項１から５のいずれか一項に記載の車載受信装置であって、
ディジタル放送用電波に含まれる信号をデコードして高品質の音声データを出力する高品質音声デコーダと、
ディジタル放送用電波に含まれる信号をデコードして低品質の音声データを出力する低品質音声デコーダと
をさらに備え、
前記判定手段は、さらに、
ディジタル放送用電波の受信品質に応じて、前記高品質音声デコーダまたは前記低品質音声デコーダのいずれに、ディジタル放送用電波に含まれる信号をデコードする音声デコード処理を実行させるかを判定して、判定結果を出力し、
前記出力手段は、さらに、
前記高品質音声デコーダまたは前記低品質音声デコーダから出力された音声データを、音声を再生する再生装置へ出力し、
前記デコーダ切替手段は、さらに、
前記高品質音声デコーダおよび前記低品質音声デコーダにおいて、一方のデコーダに前記音声デコード処理を実行させている間に、前記判定手段が、他方のデコーダに前記音声デコード処理を実行させる旨の判定結果を出力した場合に、前記他方のデコーダを起動して前記音声デコード処理を開始させ、予め定められた第２の期間経過後に、前記再生装置へ出力する音声データの出力元を前記一方のデコーダから前記他方のデコーダに切り替える旨を前記切替手段に指示すると共に、前記一方のデコーダを停止させること
を特徴とする車載受信装置。
【請求項７】
請求項６に記載の車載受信装置であって、
前記高品質音声デコーダおよび前記低品質音声デコーダは、
前記音声デコード処理においてデコードしたＰＴＳを前記デコーダ切替手段および前記出力手段へ出力し、
前記デコーダ切替手段は、
前記高品質音声デコーダおよび前記低品質音声デコーダにおいて、一方のデコーダに前記音声デコード処理を実行させている間に、前記判定手段が、他方のデコーダに前記音声デコード処理を実行させる旨の判定結果を出力した場合に、前記一方のデコーダから出力されたＰＴＳの値から、前記第２の期間経過後のＰＴＳの値を算出し、前記第２の期間経過後に、算出したＰＴＳの値に対応する音声データから、前記他方のデコーダからの音声データを前記再生装置へ出力する旨を前記出力手段に指示し、
前記出力手段は、
前記デコーダ切替手段から指示されたＰＴＳの値に対応する音声データから、前記再生装置へ出力する音声データの出力元を切り替えることを特徴とする車載受信装置。
【請求項８】
請求項６または７に記載の車載受信装置であって、
前記判定手段は、
ディジタル放送用電波の受信品質が、予め定められた第２の閾値以上である場合に、前記高品質音声デコーダに前記音声デコード処理を実行させる旨の判定結果を出力し、
ディジタル放送用電波の受信品質が、前記第２の閾値未満である場合に、前記低品質音声デコーダに前記音声デコード処理を実行させる旨の判定結果を出力すること特徴とする車載受信装置。
【請求項９】
請求項６または７に記載の車載受信装置であって、
前記判定手段は、
受信中のディジタル放送用電波の品質に応じて、前記第２の期間経過後のディジタル放送用電波の受信品質を予測し、予測した受信品質が、予め定められた第２の閾値以上である場合に、前記高品質音声デコーダに前記音声デコード処理を実行させる旨の判定結果を出力し、
前記予測した受信品質が、前記予め定められた第２の閾値未満である場合に、前記低品質音声デコーダに前記音声デコード処理を実行させる旨の判定結果を出力すること特徴とする車載受信装置。
【請求項１０】
請求項９に記載の車載受信装置であって、
前記判定手段は、
ディジタル放送用電波の受信品質の時間的な変動を示すデータである第３のデータと、当該第３のデータに対応付けられており、当該第３のデータに含まれる最後のデータから前記第２の期間経過後に予想される受信品質を示すデータである第４のデータとから構成される音声用参照データを複数格納する音声用判定テーブルを予め有しており、
受信中のディジタル放送用電波の品質の時間的な変動を測定し、前記音声用判定テーブルを参照して、測定した受信品質の時間的な変動との相関が最も高い第３のデータを有する音声用参照データを特定し、特定した音声用参照データに含まれる第４のデータを、前記第２の期間経過後のディジタル放送用電波の受信品質として予測すること
を特徴とする車載受信装置。
【請求項１１】
請求項８から１０のいずれか一項に記載の車載受信装置であって、
前記第１の閾値に対応する受信品質は、前記第２の閾値に対応する受信品質よりも、受信品質が低いことを特徴とする車載受信装置。
【請求項１２】
請求項６から１１のいずれか一項に記載の車載受信装置であって、
前記デコーダ切替手段は、
音声データをデコードさせるデコーダを前記高品質音声デコーダから前記低品質音声デコーダに切り替えた場合、前記車両のエンジンが停止するまで、音声データをデコードさせるデコーダを前記高品質音声デコーダに切り替えないことを特徴とする車載受信装置。
【発明の詳細な説明】
【技術分野】
【０００１】
本発明は、車両等の移動体に搭載され、ディジタル放送電波を受信して、当該ディジタル放送電波によって送信される映像および音声を出力する車載受信装置に関する。
【背景技術】
【０００２】
最近開始された地上波ディジタル放送では、各放送局に割り当てられた伝送帯域を多数のセグメントに分割し、１つ以上のセグメントで構成された階層を複数同時に伝送する階層伝送が行われる。階層伝送では、階層を構成するセグメント数が多いほど、高品質の映像を伝送できるが、移動中の受信に弱いという欠点がある。そこで、例えば、日本のディジタル放送において準拠しているＩＳＤＢ−Ｔ方式では、１チャネルのディジタル放送用帯域を１３個のセグメントに分割し、その中の１２個のセグメントを使って固定受信装置向けに高品質の映像を提供し、残りの１個のセグメントを使って伝送誤りに対する耐性の高い伝送方式による低品質の映像を提供する。
【０００３】
これにより、家庭等に設置される固定受信装置によって、高品質のディジタル放送を受信できると共に、携帯電話やＰＤＡ等の移動受信装置によって、低品質ではあるが、移動中でも安定したディジタル放送の受信が可能となる。
【０００４】
しかし、移動体に搭載され、携帯電話やＰＤＡ等よりも比較的大きな画面を有するナビゲーション装置においてディジタル放送を受信して表示する場合には、移動中であっても可能な限り、１２個のセグメントを用いた高品質の映像を表示したいという要望がある。これを実現するために、例えば、特許文献１では、ビットエラー等の受信状況に基づいて、１２個のセグメントを用いて放送される高品質映像をデコードして表示するか、１個のセグメントを用いて送信される低品質映像をデコードして表示するかを決定している。
【０００５】
【特許文献１】特開２００４−１６６１７３号公報
【発明の開示】
【発明が解決しようとする課題】
【０００６】
ところで、高品質映像用のデコーダと低品質映像用のデコーダとは、別個のＩＣ（Integrated Circuit）で実現される場合や、１つのＩＣ内でも異なるブロックとして構成される場合が多い。そのため、一方のデコーダからの出力を表示している場合、他方のデコーダの出力は表示されないことから、低消費電力化の観点から、当該他方のデコーダを停止することが好ましい。しかし、上記特許文献１に開示された技術は、低品質映像をデコードする場合に高品質映像用のデコーダを停止する旨、および、高品質映像をデコードする場合に低品質映像用のデコーダを停止する旨の記載はない。
【０００７】
また、上記特許文献１に開示された技術において、一方のデコーダからの出力を表示している間、他方のデコーダを停止し、切替時に、稼動中のデコーダを停止して、停止中のデコーダを起動するとすれば、消費電力の低減は図られるものの、デコーダの切り替えに起因する映像の途切れが発生する場合がある。
【０００８】
例えば、稼動している一方のデコーダを停止し、停止中の他方のデコーダを起動して受信信号のデコードを開始した場合、前回稼動していたデコーダからの出力がバッファ内に存在する間に、他方のデコーダによってデコードされた映像データの出力が開始されれば、映像の途切れが発生しない場合がある。しかし、車両に搭載される受信装置は、小型、軽量、および低価格が求められるため、大容量のメモリを搭載できない場合が多く、他方のデコーダによってデコードされた映像データの出力が開始される前に、前回稼動していたデコーダからの出力がバッファ内から無くなってしまい、映像の途切れが発生してしまう場合がある。
【０００９】
特に、高品質の映像を受信して表示している状態から、低品質の映像に切り換える場合、高品質の映像はデータサイズが大きいため、容量の少ないバッファでは、長時間の映像を保持することができない。さらに、低品質映像用のデコーダは、高品質映像用のデコーダよりも扱うデータサイズが小さいものの、高度な誤り訂正や高い圧縮率を実現するため、高品質映像用のデコーダに比べて処理時間がそれほど短くならない。そのため、低品質映像用のデコーダによってデコードされた映像データの出力が開始される前に、高品質映像用のデコーダからの出力がバッファ内から無くなってしまい、映像の途切れが発生してしまう場合ある。
【００１０】
本発明は上記事情を鑑みてなされたものであり、本発明の目的は、消費電力を低く抑えつつ、高品質映像と低品質映像とを切り替える際に映像が途切れることを防止することにある。
【課題を解決するための手段】
【００１１】
上記課題を解決するために、本発明の車載受信装置は、映像データを出力する２つのデコーダにおいて、一方のデコーダからの映像データを外部へ出力している間に、映像データの出力元を他方のデコーダに切り替える場合、当該他方のデコーダを起動して映像データのデコードを開始させた後、所定期間経過後に、映像データの外部への出力元を当該一方のデコーダから当該他方のデコーダに切り替えると共に、当該一方のデコーダを停止する。
【００１２】
例えば、本発明は、車両に搭載され、ディジタル放送を受信する車載受信装置であって、ディジタル放送用電波に含まれる信号をデコードして高品質の映像データを出力する高品質映像デコーダと、ディジタル放送用電波に含まれる信号をデコードして低品質の映像データを出力する低品質映像デコーダと、ディジタル放送用電波の受信品質に応じて、高品質映像デコーダまたは低品質映像デコーダのいずれに、ディジタル放送用電波に含まれる信号をデコードする映像デコード処理を実行させるかを判定して、判定結果を出力する判定手段と、高品質映像デコーダまたは低品質映像デコーダから出力された映像データを、映像を表示する表示装置へ出力する出力手段と、判定手段からの判定結果に応じて、高品質映像デコーダまたは低品質映像デコーダに映像デコード処理を実行させると共に、高品質映像デコーダまたは低品質映像デコーダのいずれからの映像データを表示装置へ出力するかを出力手段に指示するデコーダ切替手段とを備え、デコーダ切替手段は、高品質映像デコーダおよび低品質映像デコーダにおいて、一方のデコーダに映像デコード処理を実行させている間に、判定手段が、他方のデコーダに映像デコード処理を実行させる旨の判定結果を出力した場合に、他方のデコーダを起動して映像デコード処理を開始させ、予め定められた第１の期間経過後に、表示装置へ出力する映像データの出力元を一方のデコーダから他方のデコーダに切り替える旨を出力手段に指示すると共に、一方のデコーダを停止させることを特徴とする車載受信装置を提供する。
【発明の効果】
【００１３】
本発明の車載受信装置によれば、消費電力を低く抑えつつ、高品質映像と低品質映像とを切り替える際に映像が途切れることを防止することができる。
【発明を実施するための最良の形態】
【００１４】
以下に、本発明の実施の形態について、図面を参照しながら説明する。
【００１５】
図１は、本発明の実施形態に係る車載受信システム１０の構成を例示するシステム構成図である。車載受信システム１０は、アンテナ１１、表示装置１２、再生装置１３、および車載受信装置２０を備える。車載受信装置２０は、復調部２１、判定部２２、ＤＥＭＵＸ２３、高品質映像デコーダ２４、低品質映像デコーダ２５、高品質音声デコーダ２６、低品質音声デコーダ２７、出力部２８、およびデコーダ切替部２９を有する。
【００１６】
復調部２１は、ディジタル放送中継局から送信されるディジタル放送用電波を、アンテナ１１を介して受信し、受信した電波を復調し、デインタリーブ、デスクランブル、および誤り検出・訂正等の処理を行って、高品質映像データを含むＴＳ（Transport Stream）パケット、低品質映像データを含むＴＳパケット、高品質音声データを含むＴＳパケット、および低品質音声データを含むＴＳパケットを抽出してＤＥＭＵＸ２３へ出力する。
【００１７】
本実施形態において、高品質映像データおよび高品質音声データとは、それぞれ、ディジタル放送用電波の１２個のセグメントを用いて放送される映像データおよび音声データを示しており、低品質映像データおよび低品質音声データとは、それぞれ、ディジタル放送用電波の１個のセグメントを用いて放送される映像データおよび音声データを示している。
【００１８】
また、復調部２１は、アンテナ１１を介して受信したディジタル放送用電波の受信品質を示すデータを生成して判定部２２へ出力する。受信品質を示すデータとは、例えば、受信すべきディジタル放送電波の受信電界強度、受信すべきディジタル放送電波における搬送波の受信レベルに対するノイズレベルであるＣＮ比（Carrier to Noise Ratio）、または復調されたデータのビットエラーレート等を示すデータである。復調部２１は、ディジタル放送用電波の受信品質を示すデータを、例えば数百ミリ秒間隔で生成して判定部２２へ出力する。
【００１９】
ＤＥＭＵＸ２３は、復調部２１から出力されたＴＳパケットに含まれるＰＩＤ（Packet IDentifier）を参照して、高品質映像データを含むＴＳパケットを高品質映像デコーダ２４へ、低品質映像データを含むＴＳパケットを低品質映像デコーダ２５へ、高品質音声データを含むＴＳパケットを高品質音声デコーダ２６へ、低品質音声データを含むＴＳパケットを低品質音声デコーダ２７へ、それぞれ分配する。
【００２０】
高品質映像デコーダ２４および低品質映像デコーダ２５は、受信したＴＳパケットのペイロードを用いてビデオＰＥＳ（Packetized Elementary Stream）パケットを構築し、構築したビデオＰＥＳパケットから映像データを生成して出力バッファ内に保持する。高品質音声デコーダ２６および低品質音声デコーダ２７は、受信したＴＳパケットのペイロードを用いてオーディオＰＥＳパケットを構築し、構築したオーディオＰＥＳパケットから音声データを生成して出力バッファ内に保持する。
【００２１】
また、高品質映像デコーダ２４、低品質映像デコーダ２５、高品質音声デコーダ２６、および低品質音声デコーダ２７のそれぞれは、構築したＰＥＳパケットからＰＴＳ（Presentation Time Stamp）を抽出し、抽出したＰＴＳをデコーダ切替部２９へ出力する。
【００２２】
判定部２２は、復調部２１から出力されたディジタル放送用電波の受信品質に基づいて、第１の期間（例えば２秒）経過後の受信品質を予測し、予測した受信品質が、予め定められた閾値であって、映像デコーダを切り替えるための閾値Ｔｈａ以上である場合に、高品質映像デコーダ２４にＴＳパケットのデコードを実行させる旨の判定結果をデコーダ切替部２９に出力する。一方、予測した受信品質が閾値Ｔｈａ未満である場合に、低品質映像デコーダ２５にＴＳパケットのデコードを実行させる旨の判定結果をデコーダ切替部２９に出力する。
【００２３】
また、判定部２２は、復調部２１から出力されたディジタル放送用電波の受信品質に基づいて、第２の期間（例えば１秒）経過後の受信品質を予測し、予測した受信品質が、予め定められた閾値であって、音声デコーダを切り替えるための閾値Ｔｈｂ以上である場合に、高品質音声デコーダ２６にＴＳパケットのデコードを実行させる旨の判定結果をデコーダ切替部２９に出力する。一方、予測した受信品質が閾値Ｔｈｂ未満である場合に、低品質音声デコーダ２７にＴＳパケットのデコードを実行させる旨の判定結果をデコーダ切替部２９に出力する。
【００２４】
本実施形態において、映像デコーダを切り替えるための閾値Ｔｈａは、音声デコーダを切り替えるための閾値Ｔｈｂよりも、受信品質において低い値に設定されている。これにより、判定部２２は、映像においては、より低い受信品質でも高品質映像デコーダ２４を選択し、音声においてはより高い受信品質においても低品質音声デコーダ２７を選択する。なお、他の例として、閾値Ｔｈａは、受信品質において閾値Ｔｈｂと同一の値に設定されてもよい。
【００２５】
ここで、判定部２２によって行われる、復調部２１から出力されたディジタル放送用電波の受信品質に基づいて、第１の期間または第２の期間経過後の受信品質を予測する処理について、以下に詳しく説明する。
【００２６】
判定部２２は、例えば図２に示すように、ｍ個の参照データ２２４を有する判定テーブル２２０を予め格納している。それぞれの参照データ２２４は、ディジタル放送用電波の受信品質の時間的な変動を示すｎ個の受信品質データ２２１と、当該受信品質データ２２１に対応付けられており、当該受信品質データ２２１に含まれる最後のデータから第１の期間経過後に予想される受信品質を示す第１の予測品質２２２と、当該受信品質データ２２１に含まれる最後のデータから第２の期間経過後に予想される受信品質を示す第２の予測品質２２３とから構成される。
【００２７】
本実施形態において、判定テーブル２２０内のそれぞれの参照データ２２４は、異なる条件で予め測定されたデータである。例えば、受信品質データ２２１は、数ミリ秒毎にｎ回実測されたディジタル放送用電波の受信品質であり、第１の予測品質２２２は、受信品質データ２２１のｎ番目のデータが測定されてから第１の期間が経過したときに実測されたディジタル放送用電波の受信品質であり、第２の予測品質２２３は、受信品質データ２２１のｎ番目のデータが測定されてから第２の期間が経過したときに実測されたディジタル放送用電波の受信品質である。また、他の例として、判定テーブル２２０内のそれぞれの参照データ２２４は、シミュレーション等により、異なる条件で算出されたデータを有していてもよい。
【００２８】
判定部２２は、所定のタイミング毎（例えば数秒毎）に、復調部２１から出力された受信品質を示すデータを、出力された順番にｎ個収集する。そして、収集したｎ個の受信品質の時間的な変動と最も近い変動を示す受信品質データ２２１を有する参照データ２２４を特定する。
【００２９】
例えば、判定部２２は、下記の数式１を用いて算出した比較値Ｌが１に最も近い受信品質データ２２１を有する参照データ２２４を、収集したｎ個の受信品質の時間的な変動と最も近い変動を示す受信品質データ２２１を有する参照データ２２４として特定する。
【００３０】
【数１】
2008113139.tif 000003
ここで、Ｌｍはｍ番目の比較値を示し、ｘｉは復調部２１から収集したｉ番目の受信品質を示し、ａｍｉはｍ番目の参照データ２２４内のｉ番目の受信品質データ２２１を示す。
【００３１】
そして、判定部２２は、特定した参照データ２２４に含まれる第１の予測品質２２２を、第１の期間経過後のディジタル放送用電波の受信品質の予測値として抽出し、抽出した予測値と閾値Ｔｈａとを比較して、いずれのデコーダに映像をデコードさせるかを判定し、判定結果をデコーダ切替部２９へ出力する。
【００３２】
また、判定部２２は、特定した参照データ２２４に含まれる第２の予測品質２２３を、第２の期間経過後のディジタル放送用電波の受信品質の予測値として抽出し、抽出した予測値と閾値Ｔｈｂとを比較して、いずれのデコーダに音声をデコードさせるかを判定し、判定結果をデコーダ切替部２９へ出力する。
【００３３】
デコーダ切替部２９は、判定部２２からの判定結果に応じて、高品質映像デコーダ２４、低品質映像デコーダ２５、高品質音声デコーダ２６、および低品質音声デコーダ２７の起動または停止を制御すると共に、表示装置１２へ出力する映像データの出力元のデコーダ、および、再生装置１３へ出力する音声データの出力元のデコーダを出力部２８に指示する。
【００３４】
より詳細には、デコーダ切替部２９は、高品質映像デコーダ２４および低品質映像デコーダ２５において、一方のデコーダに映像のデコード処理を実行させている間に、判定部２２から、他方のデコーダに映像デコード処理を実行させる旨の判定結果を受信した場合、当該他方のデコーダを起動して映像デコード処理を開始させ、予め定められた第１の期間経過後に、表示装置１２へ出力する映像データの出力元を、当該一方のデコーダから当該他方のデコーダに切り替える旨を出力部２８に指示して、当該一方のデコーダを停止させる。
【００３５】
また、デコーダ切替部２９は、映像のデコードを実行するデコーダを切り替える場合、稼動中のデコーダから出力されたＰＴＳの値から、第１の期間経過後のＰＴＳの値を算出し、第１の期間経過後に、算出したＰＴＳの値に対応する映像データから、表示装置１２へ出力する映像データの出力元のデコーダを切り替える旨を出力部２８に指示する。
【００３６】
音声データに関しては、デコーダ切替部２９は、高品質音声デコーダ２６および低品質音声デコーダ２７において、一方のデコーダに音声のデコード処理を実行させている間に、判定部２２から、他方のデコーダに音声デコード処理を実行させる旨の判定結果を受信した場合、当該他方のデコーダを起動して音声デコード処理を開始させ、予め定められた第２の期間経過後に、再生装置１３へ出力する音声データの出力元を、当該一方のデコーダから当該他方のデコーダに切り替える旨を出力部２８に指示して、当該一方のデコーダを停止させる。
【００３７】
また、デコーダ切替部２９は、音声のデコードを実行するデコーダを切り替える場合、稼動中のデコーダから出力されたＰＴＳの値から、第２の期間経過後のＰＴＳの値を算出し、第２の期間経過後に、算出したＰＴＳの値に対応する音声データから、再生装置１３へ出力する音声データの出力元のデコーダを切り替える旨を出力部２８に指示する。
【００３８】
出力部２８は、デコーダ切替部２９からの指示に応じて、高品質映像デコーダ２４または低品質映像デコーダ２５のいずれかの出力バッファ内の映像データを表示装置１２へ出力する。デコーダを切り替える旨と共にＰＴＳの値をデコーダ切替部２９から指示された場合、出力部２８は、切り替え先のデコーダの出力バッファ内の映像データを参照して、指示されたＰＴＳの値に対応する映像データから表示装置１２へ出力することにより、映像データの出力元のデコーダを切り替える。
【００３９】
音声データについても同様に、出力部２８は、デコーダ切替部２９からの指示に応じて、高品質音声デコーダ２６または低品質音声デコーダ２７のいずれかの出力バッファ内の音声データを再生装置１３へ出力する。切り替え先のデコーダに関する情報と共にＰＴＳの値をデコーダ切替部２９から指示された場合、出力部２８は、切り替え先のデコーダの出力バッファ内の音声データを参照して、指示されたＰＴＳの値に対応する音声データから再生装置１３へ出力することにより、音声データの出力元のデコーダを切り替える。
【００４０】
図３は、高品質映像から低品質映像に切り替える場合の各映像デコーダの動作を説明するためのタイミングチャートである。本タイミングチャートは、高品質映像デコーダ２４が稼動中であり、低品質映像デコーダ２５が停止中であり、高品質映像デコーダ２４からの映像データが表示装置１２に表示されている状態から開始する。
【００４１】
判定部２２は、ディジタル放送用電波の受信品質に基づいて、時点３０以降、映像データをデコードさせるデコーダを低品質映像デコーダ２５と判定する。判定部２２からの判定結果に応じて、デコーダ切替部２９は、停止中の低品質映像デコーダ２５を起動させる。そして、デコーダ切替部２９は、高品質映像デコーダ２４から受信したＰＴＳの値に基づいて、第１の期間経過後のＰＴＳの値を算出して、第１の期間が経過するまで待つ。
【００４２】
そして、低品質映像デコーダ２５を起動後、第１の期間が経過した時点３１において、デコーダ切替部２９は、算出したＰＴＳと共に、映像データの出力元のデコーダを切り替える旨を出力部２８へ出力し、高品質映像デコーダ２４を停止させる。出力部２８は、低品質映像デコーダ２５の出力バッファ内の映像データを参照して、指示されたＰＴＳの値に対応する映像データから、出力元のデコーダを切り替える。
【００４３】
図４は、低品質映像から高品質映像に切り替える場合の各映像デコーダの動作を説明するためのタイミングチャートである。本タイミングチャートは、低品質映像デコーダ２５が稼動中であり、高品質映像デコーダ２４が停止中であり、低品質映像デコーダ２５からの映像データが表示装置１２に表示されている状態から開始する。
【００４４】
判定部２２は、ディジタル放送用電波の受信品質に基づいて、時点３２以降、映像データをデコードさせるデコーダを高品質映像デコーダ２４と判定する。判定部２２からの判定結果に応じて、デコーダ切替部２９は、停止中の高品質映像デコーダ２４を起動させる。そして、デコーダ切替部２９は、低品質映像デコーダ２５から受信したＰＴＳの値に基づいて、第１の期間経過後のＰＴＳの値を算出して、第１の期間が経過するまで待つ。
【００４５】
そして、高品質映像デコーダ２４を起動後、第１の期間が経過した時点３３において、デコーダ切替部２９は、算出したＰＴＳと共に、映像データの出力元のデコーダを切り替える旨を出力部２８へ出力し、低品質映像デコーダ２５を停止させる。出力部２８は、高品質映像デコーダ２４の出力バッファ内の映像データを参照して、指示されたＰＴＳの値に対応する映像データから、出力元のデコーダを切り替える。
【００４６】
図５は、高品質音声から低品質音声に切り替える場合の各音声デコーダの動作を説明するためのタイミングチャートである。本タイミングチャートは、高品質音声デコーダ２６が稼動中であり、低品質音声デコーダ２７が停止中であり、高品質音声デコーダ２６からの音声データが再生装置１３で再生されている状態から開始する。
【００４７】
判定部２２は、ディジタル放送用電波の受信品質に基づいて、時点３４以降、音声データをデコードさせるデコーダを低品質音声デコーダ２７と判定する。判定部２２からの判定結果に応じて、デコーダ切替部２９は、停止中の低品質音声デコーダ２７を起動させる。そして、デコーダ切替部２９は、高品質音声デコーダ２６から受信したＰＴＳの値に基づいて、第２の期間経過後のＰＴＳの値を算出して、第２の期間が経過するまで待つ。
【００４８】
そして、低品質音声デコーダ２７を起動後、第２の期間が経過した時点３５において、デコーダ切替部２９は、算出したＰＴＳと共に、音声データの出力元のデコーダを切り替える旨を出力部２８へ出力し、高品質音声デコーダ２６を停止させる。出力部２８は、低品質音声デコーダ２７の出力バッファ内の音声データを参照して、指示されたＰＴＳの値に対応する音声データから、出力元のデコーダを切り替える。
【００４９】
図６は、低品質音声から高品質音声に切り替える場合の各音声デコーダの動作を説明するためのタイミングチャートである。本タイミングチャートは、低品質音声デコーダ２７が稼動中であり、高品質音声デコーダ２６が停止中であり、低品質音声デコーダ２７からの音声データが再生装置１３で再生されている状態から開始する。
【００５０】
判定部２２は、ディジタル放送用電波の受信品質に基づいて、時点３６以降、音声データをデコードさせるデコーダを高品質音声デコーダ２６と判定する。判定部２２からの判定結果に応じて、デコーダ切替部２９は、停止中の高品質音声デコーダ２６を起動させる。そして、デコーダ切替部２９は、低品質音声デコーダ２７から受信したＰＴＳの値に基づいて、第２の期間経過後のＰＴＳの値を算出して、第２の期間が経過するまで待つ。
【００５１】
そして、高品質音声デコーダ２６を起動後、第２の期間が経過した時点３７において、デコーダ切替部２９は、算出したＰＴＳと共に、音声データの出力元のデコーダを切り替える旨を出力部２８へ出力し、低品質音声デコーダ２７を停止させる。出力部２８は、高品質音声デコーダ２６の出力バッファ内の音声データを参照して、指示されたＰＴＳの値に対応する音声データから、出力元のデコーダを切り替える。
【００５２】
図７は、車載受信装置２０によって実行される映像切替処理を例示するフローチャートである。例えば電源が投入される等の所定のタイミングで、車載受信装置２０は、本フローチャートに示す映像切替処理を開始する。
【００５３】
まず、判定部２２は、復調部２１から出力されたディジタル放送用電波の受信品質に基づいて、第１の期間経過後の受信品質を予測し、予測した受信品質が予め定められた閾値Ｔｈａ以上であるか否かを判定する（Ｓ１００）。予測した受信品質が閾値Ｔｈａ以上である場合（Ｓ１００：Ｙｅｓ）、判定部２２は、高品質映像デコーダ２４にデコードさせる旨の判定結果をデコーダ切替部２９に出力する。そして、デコーダ切替部２９は、高品質映像デコーダ２４を起動させてデコードを開始させる（Ｓ１０１）。高品質映像デコーダ２４は、高品質映像のデコードを実行し、映像データを出力バッファ内に保持すると共に、デコードしたＰＴＳをデコーダ切替部２９へ出力する。
【００５４】
次に、判定部２２は、ディジタル放送用電波の受信品質が閾値Ｔｈａ未満となったか否かを判定する（Ｓ１０２）。受信品質が閾値Ｔｈａ以上である場合（Ｓ１０２：Ｎｏ）、判定部２２は、受信品質が閾値Ｔｈａ未満となるまでステップＳ１０２を繰り返す。受信品質が閾値Ｔｈａ未満となった場合（Ｓ１０２：Ｙｅｓ）、判定部２２は、低品質映像デコーダ２５にデコードを実行させる旨の判定結果をデコーダ切替部２９に出力する。そして、デコーダ切替部２９は、低品質映像デコーダ２５を起動させてデコードを開始させる（Ｓ１０３）。
【００５５】
次に、デコーダ切替部２９は、高品質映像デコーダ２４から出力されたＰＴＳの値より、第１の期間経過後のＰＴＳの値を算出する（Ｓ１０４）。そして、デコーダ切替部２９は、低品質映像デコーダ２５を起動してから第１の期間が経過したか否かを判定する（Ｓ１０５）。低品質映像デコーダ２５を起動してから第１の期間が経過していない場合（Ｓ１０５：Ｎｏ）、デコーダ切替部２９は、第１の期間が経過するまでステップＳ１０５を繰り返す。
【００５６】
低品質映像デコーダ２５を起動してから第１の期間が経過した場合（Ｓ１０５：Ｙｅｓ）、デコーダ切替部２９は、映像データの出力元を低品質映像デコーダ２５に切り替える旨と共に、算出したＰＴＳの値を出力部２８へ送る。出力部２８は、低品質映像デコーダ２５の出力バッファ内に、デコーダ切替部２９から送られたＰＴＳに対応する映像データが存在するか否かを判定する（Ｓ１０６）。
【００５７】
低品質映像デコーダ２５の出力バッファ内に、デコーダ切替部２９から送られたＰＴＳに対応する映像データが存在する場合（Ｓ１０６：Ｙｅｓ）、出力部２８は、当該映像データより、低品質映像デコーダ２５からの映像データを表示装置１２へ出力する（Ｓ１０７）。そして、デコーダ切替部２９は、高品質映像デコーダ２４を停止させ（Ｓ１０９）、判定部２２は、ステップＳ１１２に示す処理を実行する。
【００５８】
低品質映像デコーダ２５の出力バッファ内に、デコーダ切替部２９から送られたＰＴＳに対応する映像データが存在しない場合（Ｓ１０６：Ｎｏ）、出力部２８は、デコーダ切替部２９から送られたＰＴＳから最も近いタイミングで表示される映像データより、低品質映像デコーダ２５からの映像データを表示装置１２へ出力し（Ｓ１０８）、デコーダ切替部２９は、ステップＳ１０９に示した処理を実行する。
【００５９】
ステップＳ１００において、予測した受信品質が閾値Ｔｈａ未満である場合（Ｓ１００：Ｎｏ）、判定部２２は、低品質映像デコーダ２５にデコードさせる旨の判定結果をデコーダ切替部２９に出力する。そして、デコーダ切替部２９は、低品質映像デコーダ２５を起動させてデコードを開始させる（Ｓ１１１）。低品質映像デコーダ２５は、高品質映像のデコードを実行し、映像データを出力バッファ内に保持すると共に、デコードしたＰＴＳをデコーダ切替部２９へ出力する。
【００６０】
次に、判定部２２は、ディジタル放送用電波の受信品質が閾値Ｔｈａ以上となったか否かを判定する（Ｓ１１２）。受信品質が閾値Ｔｈａ未満である場合（Ｓ１１２：Ｎｏ）、判定部２２は、受信品質が閾値Ｔｈａ以上となるまでステップＳ１１２を繰り返す。受信品質が閾値Ｔｈａ以上となった場合（Ｓ１１２：Ｙｅｓ）、判定部２２は、高品質映像デコーダ２４にデコードを実行させる旨の判定結果をデコーダ切替部２９に出力する。そして、デコーダ切替部２９は、高品質映像デコーダ２４を起動させてデコードを開始させる（Ｓ１１３）。
【００６１】
次に、デコーダ切替部２９は、低品質映像デコーダ２５から出力されたＰＴＳの値より、第１の期間経過後のＰＴＳの値を算出する（Ｓ１１４）。そして、デコーダ切替部２９は、高品質映像デコーダ２４を起動してから第１の期間が経過したか否かを判定する（Ｓ１１５）。高品質映像デコーダ２４を起動してから第１の期間が経過していない場合（Ｓ１１５：Ｎｏ）、デコーダ切替部２９は、第１の期間が経過するまでステップＳ１１５を繰り返す。
【００６２】
高品質映像デコーダ２４を起動してから第１の期間が経過した場合（Ｓ１１５：Ｙｅｓ）、デコーダ切替部２９は、映像データの出力元を高品質映像デコーダ２４に切り替える旨と共に、算出したＰＴＳの値を出力部２８へ送る。出力部２８は、高品質映像デコーダ２４の出力バッファ内に、デコーダ切替部２９から送られたＰＴＳに対応する映像データが存在するか否かを判定する（Ｓ１１６）。
【００６３】
高品質映像デコーダ２４の出力バッファ内に、デコーダ切替部２９から送られたＰＴＳに対応する映像データが存在する場合（Ｓ１１６：Ｙｅｓ）、出力部２８は、当該映像データより、高品質映像デコーダ２４からの映像データを表示装置１２へ出力する（Ｓ１１７）。そして、デコーダ切替部２９は、低品質映像デコーダ２５を停止させ（Ｓ１１９）、判定部２２は、ステップＳ１０２に示した処理を実行する。
【００６４】
高品質映像デコーダ２４の出力バッファ内に、デコーダ切替部２９から送られたＰＴＳに対応する映像データが存在しない場合（Ｓ１１６：Ｎｏ）、出力部２８は、デコーダ切替部２９から送られたＰＴＳから最も近いタイミングで表示される映像データより、高品質映像デコーダ２４からの映像データを表示装置１２へ出力し（Ｓ１１８）、デコーダ切替部２９は、ステップＳ１１９に示した処理を実行する。
【００６５】
図８は、車載受信装置２０によって実行される音声切替処理を例示するフローチャートである。例えば電源が投入される等の所定のタイミングで、車載受信装置２０は、本フローチャートに示す音声切替処理を開始する。
【００６６】
まず、判定部２２は、復調部２１から出力されたディジタル放送用電波の受信品質に基づいて、第２の期間経過後の受信品質を予測し、予測した受信品質が予め定められた閾値Ｔｈｂ以上であるか否かを判定する（Ｓ２００）。予測した受信品質が閾値Ｔｈｂ以上である場合（Ｓ２００：Ｙｅｓ）、判定部２２は、高品質音声デコーダ２６にデコードさせる旨の判定結果をデコーダ切替部２９に出力する。そして、デコーダ切替部２９は、高品質音声デコーダ２６を起動させてデコードを開始させる（Ｓ２０１）。高品質音声デコーダ２６は、高品質音声のデコードを実行し、音声データを出力バッファ内に保持すると共に、デコードしたＰＴＳをデコーダ切替部２９へ出力する。
【００６７】
次に、判定部２２は、ディジタル放送用電波の受信品質が閾値Ｔｈｂ未満となったか否かを判定する（Ｓ２０２）。受信品質が閾値Ｔｈｂ以上である場合（Ｓ２０２：Ｎｏ）、判定部２２は、受信品質が閾値Ｔｈｂ未満となるまでステップＳ２０２を繰り返す。受信品質が閾値Ｔｈｂ未満となった場合（Ｓ２０２：Ｙｅｓ）、判定部２２は、低品質音声デコーダ２７にデコードを実行させる旨の判定結果をデコーダ切替部２９に出力する。そして、デコーダ切替部２９は、低品質音声デコーダ２７を起動させてデコードを開始させる（Ｓ２０３）。
【００６８】
次に、デコーダ切替部２９は、高品質音声デコーダ２６から出力されたＰＴＳの値より、第２の期間経過後のＰＴＳの値を算出する（Ｓ２０４）。そして、デコーダ切替部２９は、低品質音声デコーダ２７を起動してから第２の期間が経過したか否かを判定する（Ｓ２０５）。低品質音声デコーダ２７を起動してから第２の期間が経過していない場合（Ｓ２０５：Ｎｏ）、デコーダ切替部２９は、第２の期間が経過するまでステップＳ２０５を繰り返す。
【００６９】
低品質音声デコーダ２７を起動してから第２の期間が経過した場合（Ｓ２０５：Ｙｅｓ）、デコーダ切替部２９は、音声データの出力元を低品質音声デコーダ２７に切り替える旨と共に、算出したＰＴＳの値を出力部２８へ送る。出力部２８は、低品質音声デコーダ２７の出力バッファ内に、デコーダ切替部２９から送られたＰＴＳに対応する音声データが存在するか否かを判定する（Ｓ２０６）。
【００７０】
低品質音声デコーダ２７の出力バッファ内に、デコーダ切替部２９から送られたＰＴＳに対応する音声データが存在する場合（Ｓ２０６：Ｙｅｓ）、出力部２８は、当該音声データより、低品質音声デコーダ２７からの音声データを再生装置１３へ出力する（Ｓ２０７）。そして、デコーダ切替部２９は、高品質音声デコーダ２６を停止させ（Ｓ２０９）、判定部２２は、ステップＳ２１２に示す処理を実行する。
【００７１】
低品質音声デコーダ２７の出力バッファ内に、デコーダ切替部２９から送られたＰＴＳに対応する音声データが存在しない場合（Ｓ２０６：Ｎｏ）、出力部２８は、デコーダ切替部２９から送られたＰＴＳから最も近いタイミングで再生される音声データより、低品質音声デコーダ２７からの音声データを再生装置１３へ出力し（Ｓ２０８）、デコーダ切替部２９は、ステップＳ２０９に示した処理を実行する。
【００７２】
ステップＳ２００において、予測した受信品質が閾値Ｔｈｂ未満である場合（Ｓ２００：Ｎｏ）、判定部２２は、低品質音声デコーダ２７にデコードさせる旨の判定結果をデコーダ切替部２９に出力する。そして、デコーダ切替部２９は、低品質音声デコーダ２７を起動させてデコードを開始させる（Ｓ２１１）。低品質音声デコーダ２７は、高品質音声のデコードを実行し、音声データを出力バッファ内に保持すると共に、デコードしたＰＴＳをデコーダ切替部２９へ出力する。
【００７３】
次に、判定部２２は、ディジタル放送用電波の受信品質が閾値Ｔｈｂ以上となったか否かを判定する（Ｓ２１２）。受信品質が閾値Ｔｈｂ未満である場合（Ｓ２１２：Ｎｏ）、判定部２２は、受信品質が閾値Ｔｈｂ以上となるまでステップＳ２１２を繰り返す。受信品質が閾値Ｔｈｂ以上となった場合（Ｓ２１２：Ｙｅｓ）、判定部２２は、高品質音声デコーダ２６にデコードを実行させる旨の判定結果をデコーダ切替部２９に出力する。そして、デコーダ切替部２９は、高品質音声デコーダ２６を起動させてデコードを開始させる（Ｓ２１３）。
【００７４】
次に、デコーダ切替部２９は、低品質音声デコーダ２７から出力されたＰＴＳの値より、第２の期間経過後のＰＴＳの値を算出する（Ｓ２１４）。そして、デコーダ切替部２９は、高品質音声デコーダ２６を起動してから第２の期間が経過したか否かを判定する（Ｓ２１５）。高品質音声デコーダ２６を起動してから第２の期間が経過していない場合（Ｓ２１５：Ｎｏ）、デコーダ切替部２９は、第２の期間が経過するまでステップＳ２１５を繰り返す。
【００７５】
高品質音声デコーダ２６を起動してから第２の期間が経過した場合（Ｓ２１５：Ｙｅｓ）、デコーダ切替部２９は、音声データの出力元を高品質音声デコーダ２６に切り替える旨と共に、算出したＰＴＳの値を出力部２８へ送る。出力部２８は、高品質音声デコーダ２６の出力バッファ内に、デコーダ切替部２９から送られたＰＴＳに対応する音声データが存在するか否かを判定する（Ｓ２１６）。
【００７６】
高品質音声デコーダ２６の出力バッファ内に、デコーダ切替部２９から送られたＰＴＳに対応する音声データが存在する場合（Ｓ２１６：Ｙｅｓ）、出力部２８は、当該音声データより、高品質音声デコーダ２６からの音声データを再生装置１３へ出力する（Ｓ２１７）。そして、デコーダ切替部２９は、低品質音声デコーダ２７を停止させ（Ｓ２１９）、判定部２２は、ステップＳ２０２に示した処理を実行する。
【００７７】
高品質音声デコーダ２６の出力バッファ内に、デコーダ切替部２９から送られたＰＴＳに対応する音声データが存在しない場合（Ｓ２１６：Ｎｏ）、出力部２８は、デコーダ切替部２９から送られたＰＴＳから最も近いタイミングで再生される音声データより、高品質音声デコーダ２６からの音声データを再生装置１３へ出力し（Ｓ２１８）、デコーダ切替部２９は、ステップＳ２１９に示した処理を実行する。
【００７８】
以上、本発明の実施の形態について説明した。
【００７９】
上記説明から明らかなように、本発明の車載受信装置２０によれば、消費電力を低く抑えつつ、高品質映像と低品質映像とを切り替える際に映像が途切れることを防止することができる。
【００８０】
なお、本発明は上記の実施形態に限定されるものではなく、その要旨の範囲内で数々の変形が可能である。
【００８１】
例えば、上記した実施形態では、映像データの切り替えと音声データの切り替えについて説明したが、データ放送を受信して表示する場合にも本発明を適用することができる。例えば、車載受信装置２０は、ディジタル放送用電波の受信品質に応じて、１２個のセグメントを用いて送信されるデータ放送の受信と、１個のセグメントを用いて送信されるデータ放送の受信とを切り替える機能を有し、一方のデータ放送を表示中に他方のデータ放送に切り替える場合、他方のデータ放送のデコードが終了して表示可能となるまで、切り替え前のデータ放送を表示する。
【００８２】
これにより、例えば、図９に示すように、映像表示領域４１と、いわゆるＬ字表示のデータ放送表示領域４２とを有する画面表示４０において、映像表示領域４１に１２個のセグメントを用いた高品質映像が表示され、データ放送表示領域４２に１２個のセグメントを用いたデータ放送が表示されている状態で、ディジタル放送用電波の受信品質が低下した場合に、映像表示領域４１に表示される映像は、第１の期間経過後に１個のセグメントを用いた低品質映像に切り替わるが、データ放送表示領域４２に表示されるデータ放送は、カルーセル伝送により１個のセグメントを用いたデータ放送が送信されるまでは１２個のセグメントを用いたデータ放送がそのまま表示される。
【００８３】
また、受信品質がさらに悪化し、１個のセグメントを用いた低品質映像も正常に表示できなくなった場合には、例えば図１０に示すように、画面表示４０の全面をデータ放送表示領域４６とするようにしてもよい。これにより、映像のちらつき等により閲覧者に不快な思いをさせることを防止することができる。
【００８４】
また、上記した実施形態において、車載受信装置２０は、ディジタル放送用電波の受信品質に応じて、映像データおよび音声データを、高品質なものと低品質なものとで随時切り替えたが、他の形態として、音声データについては、音声データをデコードさせるデコーダとして、低品質音声デコーダ２７が一旦選択された場合には、デコーダ切替部２９は、車両のエンジンが停止するまで、ディジタル放送用電波の受信品質によらず、音声データをデコードさせるデコーダを、低品質音声デコーダ２７に固定するようにしてもよい。
【００８５】
運転者は、重要な情報であっても運転中は画面を見ることが難しいため、音声で情報を取得する場合が多いが、音声の品質が頻繁に変わると、音声が聞き取り難くなる場合がある。これに対して、ディジタル放送用電波の受信品質によらず、音声データの出力元を低品質音声デコーダ２７に固定することにより、運転者にとってより聞き取りやすい音声情報を提供することができる。
【００８６】
また、上記した実施形態において、判定部２２は、所定期間経過後のディジタル放送用電波の受信品質を予測し、予測した受信品質に応じて映像デコーダまたは音声デコーダを切り替えるか否かを判定したが、他の形態として、所定の時間間隔毎に、そのときのディジタル放送用電波の受信品質と閾値とを比較することにより、映像デコーダまたは音声デコーダを切り替えるか否かを判定するようにしてもよい。
【００８７】
また、上記した実施形態において、デコーダ切替部２９は、停止中のデコーダを起動してから所定期間経過後に、切り替えるデータのＰＴＳと共に、デコーダを切り替える旨を出力部２８に指示し、出力部２８は、デコーダ切替部２９からの指示を受け付けてから、切り替え先のデコーダのバッファ内に指示されたＰＴＳに対応するデータが存在するか否かを判定したが、本発明はこれに限られない。他の例として、デコーダ切替部２９は、停止中のデコーダを起動した後に、所定期間の経過を待つことなく、デコーダを切り替える旨を出力部２８に指示し、出力部２８は、切り替え先のデコーダのバッファ内に稼動中のデコーダからのデータに対応するデータが格納された時点で、デコーダを切り替えるようにしてもよい。この場合、出力部２８は、デコーダの切り替えを実施した旨をデコーダ切替部２９に通知し、デコーダ切替部２９は、その通知を受けて、切り替え元のデコーダを停止させる。
【００８８】
また、上記した実施形態において、判定部２２は、判定テーブル２２０を用いて所定期間経過後のディジタル放送用電波の受信品質を予測したが、本発明はこれに限られない。例えば、判定部２２は、ニューラルネットワークに、ディジタル放送用電波の受信品質の実測値を学習させることにより、ある時点から所定期間先の受信品質を予測するようにしてもよい。また、判定部２２は、受信中のディジタル放送用電波の品質を用いて、予測遺伝的アルゴリズム、タブーサーチ法、最小二乗法、線形計画法、回帰分析、または統計的手法等によって、ある時点から所定期間先の受信品質を予測するようにしてもよい。
【図面の簡単な説明】
【００８９】
【図１】本発明の実施形態に係る車載受信システム１０の構成を例示するシステム構成図である。
【図２】判定部２２が有する判定テーブル２２０のデータ構造を例示する図である。
【図３】高品質映像から低品質映像に切り替える場合の各映像デコーダの動作を説明するためのタイミングチャートである。
【図４】低品質映像から高品質映像に切り替える場合の各映像デコーダの動作を説明するためのタイミングチャートである。
【図５】高品質音声から低品質音声に切り替える場合の各音声デコーダの動作を説明するためのタイミングチャートである。
【図６】低品質音声から高品質音声に切り替える場合の各音声デコーダの動作を説明するためのタイミングチャートである。
【図７】車載受信装置２０によって実行される映像切替処理を例示するフローチャートである。
【図８】車載受信装置２０によって実行される音声切替処理を例示するフローチャートである。
【図９】データ放送が表示される画面４０を例示する概念図である。
【図１０】データ放送が表示される画面４０の他の例を示す概念図である。
【符号の説明】
【００９０】
１０・・・車載受信システム、１１・・・アンテナ、１２・・・表示装置、１３・・・再生装置、２０・・・車載受信装置、２１・・・復調部、２２・・・判定部、２２０・・・判定テーブル、２２１・・・受信品質データ、２２２・・・第１の予測品質、２２３・・・第２の予測品質、２２４・・・参照データ、２３・・・ＤＥＭＵＸ、２４・・・高品質映像デコーダ、２５・・・低品質映像デコーダ、２６・・・高品質音声デコーダ、２７・・・低品質音声デコーダ、２８・・・出力部、２９・・・デコーダ切替部、３０・・・時点、３１・・・時点、３２・・・時点、３３・・・時点、３４・・・時点、３５・・・時点、３６・・・時点、３７・・・時点、４０・・・画面表示、４１・・・映像表示領域、４２・・・データ放送表示領域、４５・・・画面表示、４６・・・データ放送表示領域
【図１】
2008113139.tif 000004
【図２】
2008113139.tif 000005
【図３】
2008113139.tif 000006
【図４】
2008113139.tif 000007
【図５】
2008113139.tif 000008
【図６】
2008113139.tif 000009
【図７】
2008113139.tif 000010
【図８】
2008113139.tif 000011
【図９】
2008113139.tif 000012
【図１０】
2008113139.tif 000013